(57)【要約】【課題】被覆導線との接続において鉛レス化を実現できる端子構造体の提供。【解決手段】端子構造体３０の端子部Ｔは、取着板部３１に連結した背板部３２を有し、この背板部３２に連結してその前方に突設しており、第１の切欠き部３３を介して相対峙した鋸歯状先端部αを夫々持つ一対の第１の端子片３４，３４と、背板部３１の前方に突設しており、第１の端子片３４，３４に対し空隙３９を介して実質的に平行に重なり、第２の切欠き部３７を介して相対峙した鋸歯状先端部βを夫々持つ一対の第２の端子片３５ｂ，３５ｂとを備えて成る。【選択図】      図１
2007244117.tif 000002
【特許請求の範囲】
【請求項１】
ケースの縁部側に支持されるべき導電性取着部と、この導電性取着部に機械的且つ電気的に結合する端子部とを備えた端子構造体であって、
前記端子部は、前記導電性取着部に連結した背板部を有し、この背板部に連結してその前方に突設しており、第１の切欠き部を介して相対峙した鋸歯状先端部を夫々持つ一対の第１の端子片と、前記背板部の前方に突設しており、前記第１の端子片対に対し離間空隙を介して実質的に平行に重なり、第２の切欠き部を介して相対峙した鋸歯状先端部を夫々持つ一対の第２の端子片とを少なくとも備えて成ることを特徴とする端子構造体。
【請求項２】
請求項１に記載の端子構造体において、前記一対の第１の端子片は、前記鋸歯状先端部の前記背板部側に被覆導線の外周面を受け止める第１のストッパ部を有し、前記一対の第２の端子片は、前記鋸歯状先端部の前記背板部側に前記被覆導線の外周面を受け止める第２のストッパ部を有することを特徴とする端子構造体。
【請求項３】
請求項２に記載の端子構造体において、第１のストッパ部で前記被覆導線が当接する受け止め縁は、前記背板部側へ窪んだ円弧状であることを特徴とする端子構造体。
【請求項４】
請求項１乃至請求項３のいずれか一項に記載の端子構造体を用い、前記導電性取着部をブラシアームの一端側に結合して成ることを特徴とするブラシアセンブリ。
【請求項５】
請求項４に記載のブラシアセンブリをモータケースの端蓋に設けて成ることを特徴とする直流モータ。
【発明の詳細な説明】
【技術分野】
【０００１】
本発明は、直流モータのブラシアセンブリ等において被覆導線を接続するための端子構造体の改善に関する。
【背景技術】
【０００２】
モータケースの端蓋（エンドブラケット）の内部に取着されるブラシアセンブリは、ブラシアームと、このブラシアームの一端側に固定して整流子に摺接するブラシと、ブラシアームの他端側に固定して被覆導線を接続するための端子構造体とから成り、被覆導線の結線作業においては、通常、端蓋外からの端末処理済みの被覆導線を端子構造体の端子箇所で半田付けして接続する。ところが、昨今の無半田化・鉛レス化の要請に対応することが急務とされている。
【０００３】
実開昭６３−１８２６６６においては、端子構造体を端蓋の外側に一部露出させて収納し、端子片を折り曲げた自由端側の返し片にＶ字状切欠きを設けたものが知られている。このＶ字状切欠きに被覆導線の端末を引っ掛けることにより、被覆導線に引っ張り力が働くと、返し片が引っ張り方向へ弾力的に曲がって端末がＶ字状切欠きに深く食い込むため、被覆導線の抜去耐力を向上できる。
【特許文献１】実開昭６３−１８２６６６（図３）
【発明の開示】
【発明が解決しようとする課題】
【０００４】
しかしながら、被覆導線に引っ張り力が働いていない状態では、食い込み力が加わっていないため、導通不良の原因となり得るので、返し片と端末とに半田付けで固着する必要があり、鉛レス化には対応できない。
【０００５】
そこで上記問題点に鑑み、本発明の課題は、被覆導線との接続において鉛レス化を実現できる端子構造体を提供することにある。
【課題を解決するための手段】
【０００６】
上記課題を解決するため、本発明は、ケースの縁部側に支持されるべき導電性取着部と、この導電性取着部に機械的且つ電気的に結合する端子部とを備えた端子構造体であって、
前記端子部は、前記導電性取着部に連結した背板部を有し、この背板部に連結してその前方に突設しており、第１の切欠き部を介して相対峙した鋸歯状先端部を夫々持つ一対の第１の端子片と、前記背板部の前方に突設しており、第１の端子片対に対し離間空隙を介して実質的に平行に重なり、第２の切欠き部を介して相対峙した鋸歯状先端部を夫々持つ一対の第２の端子片とを少なくとも備えて成る。
【０００７】
被覆導線を第１及び第２の端子片の反背板部側から第１の切り込み部と第２の切り込み部を跨ぐように背板部方向へ押し込むと、相対的に、第１及び第２の端子片の鋸歯状先端部が被覆導線を少なくとも２箇所で挟み込むと同時にその被膜を噛み込んで中心導線に達するため、端子部と被覆導線の電気的接続が実現する。端末部分の被膜を剥離除去せずに、被覆導線の接続が可能となり、しかも、半田付け等が不要となる。鋸歯の山部分が中心導線に食い込み、鋸歯の谷部分が弾力性のある被膜を介して中心導体を挟持し、またこの挟持箇所が少なくとも２箇所あるので、導通信頼性と被覆導線の抜去耐力は高い。
【０００８】
この接続作業においては、被覆導線の端末部分の２点を工具等で挟んでその中間線分を第１及び第２の切り込み部を跨ぐように押し込むことが必要であるが、その押し込み量を規定するため、一対の第１の端子片は、鋸歯状先端部の背板部側に被覆導線の外周面を受け止める第１のストッパ部を有し、一対の第２の端子片は、鋸歯状先端部の背板部側に被覆導線の外周面を受け止める第２のストッパ部を有することが望ましい。押し込まれた端末部分が第１及び第２のストッパ部で止まるため、電気的接続点の位置決めが実現できる。
【０００９】
第１のストッパ部で被覆導線が当接する受け止め縁は、背板部側へ窪んだ円弧状であることが望ましい。通常、被覆導線の断面形状が円形であるので、被膜外周を密着して受け止めることができ、電気的接続点の位置決めの画一化を図ることができる。勿論、第２のストッパ部で被覆導線が当接する受け止め縁も背板部側へ窪んだ円弧状としても好い。
【００１０】
このような端子構造体を各種機器に用いることができるが、例えば、直流モータに用いる場合は、導電性取着部をブラシアームの一端側に結合してブラシアセンブリを構成し、このブラシアセンブリをモータケースの端蓋に設ける。
【発明の効果】
【００１１】
本発明に係る端子構造体によれば、被覆導線の端末部分の被膜を剥離除去せずに接続できると共に、その被膜の弾力性が鋸歯の挟持圧を強めて被膜導線の抜去耐力が高まり、鉛レス化を実現できる。
【発明を実施するための最良の形態】
【００１２】
次に、本発明の実施形態を添付図面に基づいて説明する。図１（Ａ）は本発明に係る実施例のブラシアセンブリを示す斜視図、図１（Ｂ）は同ブラシアセンブリの正面図、図１（Ｃ）は同ブラシアセンブリの底面図、図２（Ａ）は図１（Ｂ）中のＡ部を示す拡大図、図２（Ｂ）は同ブラシアセンブリの端子構造体を折り曲げ成形で得るための板材を示す平面図である。
【００１３】
本例のブラシアセンブリ１は、二股状に屈曲した板ばねの導電性ブラシアーム１０と、このブラシアーム１０の一端側に取着したブラシ２０と、ブラシアーム１０の他端側に鋲Ｒ，Ｒを以って締着し、金属製（導電性）板材から成る端子構造体３０とを有する。なお、４０は防振ゴムである。
【００１４】
端子構造体３０は図２（Ｂ）に示す切り出し済み板材Ｐから折り曲げ成形される。この板材Ｐは、鋲Ｒ，Ｒを通すための通孔ｈ，ｈを持つ長方形の取着板部３１と、この取着板部３１の横長中央からＴ字状に一様幅で延び出た背板部３２とを有し、この背板部３２の先端側から更に一様幅で延び出た部分において第１の切欠き部３３を以って先割りされて成る一対の第１の端子片３４，３４と、背板部３２の左右側方へ張り出た一対の張出板部３５，３５とから成る連結板である。
【００１５】
第１の端子片３４，３４は、第１の切欠き部３３を介して相対峙した鋸歯状先端部αを夫々持つ。この鋸歯状先端部αは２つの鋸歯α１，α２から成り、いずれの鋸歯α１，（α２）においても傾斜した切り込み縁が反取着板部側に位置している。第１の端子片３４，３４の共通付け根部３６は第１の切欠き部３３の奥端としての半円弧状縁Ｆを有している。破線Ｌ１は共通付け根部３６を背板部３２（紙面）に対して矢印ａのように直角に折り曲げる谷折り線を示し、この谷折り線Ｌ１は張出板部３５，３５の反取着板部側の縁よりも距離ｄだけ離間している。
【００１６】
各張出片３５は、背板部３２の側縁の一部から付け根幅一様で延び出た連結板部３５ａと、この連結板部３５ａから取着板部３１側へ張り出た第２の端子片３５ｂとから成る。第２の端子片３５ｂは取着板部３１側に鋸歯状先端部βを持つ。この鋸歯状先端部βは２つの鋸歯β１，β２から成り、いずれの鋸歯β１（β２）においても傾斜した切り込み縁が反背板部側に位置している。第２番目の鋸歯β２の背板部側は矩形凹所Ｋを画成する矩形突部Ｍとなっている。破線Ｌ２は第２の端子片３５ｂを連結板部３５ａに対して矢印ｂのように直角に折り曲げる谷折り線を示し、破線Ｌ３は連結板部３５ａを背板部３２に対して矢印ｃのように直角に折り曲げる谷折り線を示す。
【００１７】
このように、板材Ｐに対する３回の折り曲げによって、図１に示す端子構造体３０が得られる。板材Ｐにおいて既に第１の端子片３４，３４が第１の切欠き部３３を介して相対峙した鋸歯状先端部αを夫々持つため、谷折り線Ｌ１での直角折り曲げによっても、端子構造体３０においては第１の端子片３４，３４が第１の切欠き部３３を介して相対峙した鋸歯状先端部αを夫々持つことが保存さている。他方、張出片３５に対する谷折り線Ｌ２，Ｌ３の直角折り曲げによって、端子構造体３０での第２の端子片３５ｂ，３５ｂは第２の切欠き部３７を介して相対峙した鋸歯状先端部βを夫々持ち、第１の端子片３４，３４の上に距離ｄの空隙３９だけ離れて重なっている。第１の端子片３４，３４と第２の端子片３５ｂ，３５ｂとで端子部Ｔが構成されているが、背板部３２を長くすることにより複数対の張出板部３５，３５を備えた板材Ｐを得ることが可能であるから、端子構造体３０においても、３対以上の端子片対を設けることができる。
【００１８】
図１（Ａ）に被覆導線Ｗを端子構造体３０に接続する状態を示してある。被覆導線Ｗの線分が第１の端子片３４，３４及び第２の端子片３５ｂ，３５ｂの反背板部側から第１の切欠き部３３と第２の切欠き部３７を跨ぐように、これを背板部方向へ押し込む。相対的に、第１の端子片３４，３４の１番目鋸歯α１，α１の切り込み縁と第２の端子片３５ｂ，３５ｂの１番目鋸歯β１，β１の切り込み縁が被覆導線Ｗを距離ｄだけ離れた２箇所で挟み込むと同時にその被膜Ｘに噛み込んで芯線又は撚り線の中心導線Ｙに達した後、今度は、第１の端子片３４，３４の２番目鋸歯α２，α２の切り込み縁と第２の端子片３５ｂ，３５ｂの２番目鋸歯β２，β２の切り込み縁が被覆導線Ｗを２箇所で挟み込むと同時に被膜Ｘに噛み込んで中心導線Ｙに達し、被膜Ｘが半円弧状縁Ｆと矩形突部Ｍとに当接して被覆導線Ｗの押し込みが阻止される。被覆導線Ｗのこの押し込み終期では、２番目鋸歯α２，α２、β２，β２が中心導線Ｙに食い込んで導通していると共に樹脂製の被膜Ｘを緩みなく弾力的に挟持しており、また、１番目鋸歯α１，α１，β１，β１の起立縁が反背板部側への被覆導線Ｗの逃げを有効に阻止している。しかも、被膜Ｘに距離ｄだけ離れた２箇所でそれぞれ２本の鋸歯α２（β２）が刺し込まれているため、被覆導線Ｗの抜去耐力は相当堅牢である。更に、被覆導線Ｗはその端末部分の被膜Ｘを剥離除去せずに用いることができるため、無半田化と共に結線作業の容易化を実現できる。
【００１９】
この接続作業においては、被覆導線Ｗの端末部分の２点を工具等で挟んでその中間線分を第１及び第２の切欠き部３３，３７を跨ぐように押し込むことが必要であるが、その押し込み量を規定するため、第１の端子片３４，３４は、被覆導線Ｗの外周面を受け止める第１のストッパ部としての共通付け根部３６を有し、第２の端子片３５ｂ，３５ｂは、被覆導線Ｗの外周面を受け止める第２のストッパ部としての矩形突部Ｍ，Ｍを有している。共通付け根部３６は半円弧状縁Ｆで被覆導線Ｗを受け止めるため、隙間なくフィットし、押し込み動を完全に阻止できる。第２の切り込み３７の奥に位置する一対の矩形突部Ｍ，Ｍでは両者間に僅少な隙間Ｕが存在しているので、その角が被膜Ｘに食い込むので、ストッパ作用とクランプ作用を同時に発揮している。
【００２０】
図３（Ａ）は同ブラシアセンブリをモータケースの端蓋に組み付けた状態を示す平面図、図３（Ｂ）は同状態の側面図、図４（Ａ）は図３（Ａ）中のａ−ａ線で切断した断面図、図４（Ｂ）は同状態を示す斜視図、図５（Ａ）は図３（Ｂ）中のａ−ａ線で切断した断面図、図５（Ｂ）は図５（Ａ）中のＢ部を示す拡大図、図５（Ｃ）は図５（Ａ）中のＣ部を示す拡大図である。
【００２１】
端蓋５０は、これをモータケース（図示せず）の開口に嵌めるために、蓋板５１の内側にリム５２が一体的に形成されている。リム５２の内側肉部は、ブラシアセンブリ１を収容するために、端子構造体３０の取着板部３１を差し込み固定する挟持溝５３を有する。また、この挟持溝５３の脇には端子構造体３０の端子部Ｔを収容する貫通孔５４が形成されている。被覆導線Ｗを端蓋の５０の側方から貫通孔５４内に収めた端子部Ｔに並進的に押し込むため、端子部Ｔが端蓋５０の側方から見て露出するように、貫通孔５４のうち蓋板５１寄りの側縁に欠損部５５が形成されている。この貫通孔５４内には、被覆導線Ｗの引き抜き方向の力に対して第１の端子片３４の曲がりを抑制するため、第１の端子片３４の下面に被る段差５６が形成されている。
【００２２】
図４（Ｂ）に示す如く、被覆導線Ｗの端末部分を端子部Ｔへ並進的に押し込むための欠損部５５が端蓋５０に形成されているので、端末部Ｔとの接続が可能となり、直流モータの結線作業においては鉛レス化を実現できる。
【図面の簡単な説明】
【００２３】
【図１】（Ａ）は本発明に係る実施例のブラシアセンブリを示す斜視図、（Ｂ）は同ブラシアセンブリの正面図、（Ｃ）は同ブラシアセンブリの底面図である。
【図２】（Ａ）は図１（Ｂ）中のＡ部を示す拡大図、（Ｂ）は同ブラシアセンブリの端子構造体を折り曲げ成形で得るための板材を示す平面図である。
【図３】（Ａ）は同ブラシアセンブリをモータケースの端蓋に組み付けた状態を示す平面図、（Ｂ）は同状態の側面図である。
【図４】（Ａ）は図３（Ａ）中のａ−ａ線で切断した断面図、（Ｂ）は同状態を示す斜視図である。
【図５】（Ａ）は図３（Ｂ）中のａ−ａ線で切断した断面図、（Ｂ）は（Ａ）中のＢ部を示す拡大図、（Ｃ）は（Ａ）中のＣ部を示す拡大図である。
【符号の説明】
【００２４】
１…ブラシアセンブリ
１０…導電性ブラシアーム
２０…ブラシ
３０…端子構造体
３１…取着板部
３２…背板部
３３…第１の切欠き部
３４…第１の端子片
３５…張出板部
３５ａ…連結板部
３５ｂ…第２の端子片
３６…共通付け根部
３７…第２の切欠き部
３９…空隙
４０…防振ゴム
５０…端蓋
５１…蓋板
５２…リム
５３…挟持溝
５４…貫通孔
５５…欠損部
５６…段差
α，β…鋸歯状先端部
α１，α２，β１，β２…鋸歯
Ｌ１，Ｌ２，Ｌ３…谷折り線
ｄ…距離
Ｆ…半円弧状縁
ｈ…通孔
Ｋ…矩形凹所
Ｍ…矩形突部
Ｐ…切り出し済み板材
Ｒ…鋲
Ｔ…端子部
Ｕ…隙間
Ｗ…被覆導線
Ｘ…被膜
Ｙ…中央導線
【図１】
2007244117.tif 000003
【図２】
2007244117.tif 000004
【図３】
2007244117.tif 000005
【図４】
2007244117.tif 000006
【図５】
2007244117.tif 000007